(57)【要約】【課題】ユーザのチャプター選択操作を容易化する。【解決手段】メニューウインドウ３０２とプレビューウインドウ３０３を設け、メニューウインドウ３０２にはチャプターメニューを表示する（ｃ）。そして、メニューウインドウ３０２のチャプターメニュー上でチャプターの選択を受付、選択を受け付けたチャプターの開始位置からビデオコンテンツをプレビューウインドウ３０３に再生する（ｄ）処理を、ユーザからプレビューの終了の指示があるまで繰り返し行う。ユーザからプレビューの終了の指示があったならば、プレビューウインドウ３０３とメニューウインドウ３０２を閉じ、メインウインドウ３０１を設定し、プレビューウインドウ３０３で行っていた再生をメインウインドウ３０１で継続する。【選択図】図３
2005033308.tif 000002
【特許請求の範囲】
【請求項１】
複数のチャプターを含むビデオコンテンツを表示装置に再生表示するビデオコンテンツ再生装置であって、
前記複数のチャプターの内からの一つのチャプターの選択をユーザから受け付けるためのチャプターメニューを前記表示装置の表示画面上に設けたメニュー表示領域に表示し、表示した前記チャプターメニューを介してユーザのチャプターの選択を受け付けるチャプター選択受付手段と、
前記チャプター選択受付手段が選択を受け付けたチャプターを、前記表示画面上に前記メニュー表示領域と共に設けたチャプター再生表示領域に、前記メニュー表示領域の前記チャプターメニューの表示と並行して再生表示するチャプター再生表示手段とを有することを特徴とするビデオコンテンツ再生装置。
【請求項２】
請求項１記載のビデオコンテンツ再生装置であって、
前記ビデオコンテンツは、ＤＶＤ−Ｖｉｄｅｏディスクに記録されたビデオタイトルであって、前記チャプターメニューはＰＴＴメニューであることを特徴とするビデオコンテンツ再生装置。
【請求項３】
コンピュータによって読み取られ実行されるコンピュータプログラムであって、
前記コンピュータを、
ビデオコンテンツに含まれる複数のチャプターの内からの一つのチャプターの選択をユーザから受け付けるためのチャプターメニューを前記表示装置の表示画面上に設けたメニュー表示領域に表示し、表示した前記チャプターメニューを介してユーザのチャプターの選択を受け付けるチャプター選択受付手段と、
前記チャプター選択受付手段が選択を受け付けたチャプターを、前記表示画面上に前記メニュー表示領域と共に設けたチャプター再生表示領域に、前記メニュー表示領域の前記チャプターメニューの表示と並行して再生表示するチャプター再生表示手段として機能させることを特徴とするコンピュータプログラム。
【請求項４】
複数のチャプターを含むビデオコンテンツを表示装置に再生表示するビデオコンテンツ再生装置において、ユーザからチャプターの選択を受け付けて、選択を受け付けたチャプターを再生表示するチャプター再生制御方法であって、
前記複数のチャプターの内からの一つのチャプターの選択をユーザから受け付けるためのチャプターメニューを前記表示装置の表示画面上に設けたメニュー表示領域に表示するステップと、
表示された前記チャプターメニューを介してユーザのチャプターの選択を受け付けるステップと、
選択を受け付けたチャプターを、前記表示画面上に前記メニュー表示領域と共に設けたチャプター再生表示領域に、前記メニュー表示領域の前記チャプターメニューの表示と並行して再生表示するステップと、
前記チャプター再生表示領域のチャプターの表示と並行して前記メニュー表示領域に表示されている前記チャプターメニューを介してユーザのチャプターの新たな選択を受け付け、前記チャプター再生表示領域に再生表示するチャプターを、新たな選択を受け付けたチャプターに切り替えるステップとを有することを特徴とするチャプター再生制御方法。
【発明の詳細な説明】
【０００１】
【発明の属する技術分野】
本発明は、ビデオコンテンツの再生において、ユーザから再生するチャプターの選択を受け付ける技術に関するものである。
【０００２】
【従来の技術】
ビデオコンテンツの再生を行う代表的な装置としてＤＶＤ−Ｖｉｄｅｏディスクを再生するＤＶＤビデオ再生装置が知られている。
ＤＶＤ−Ｖｉｄｅｏ規格では、ビデオコンテンツの単位であるビデオタイトルは、ＤＶＤ−Ｖｉｄｅｏ規格においてパートオブタイトルと呼ばれる任意数のチャプター開始ポイントの定義を含むことができる。そして、ＤＶＤビデオ再生装置では、このようなチャプター開始ポイントが定義されたビデオタイトルについては、ＤＶＤ−Ｖｉｄｅｏディスクに記録された定義に従って、ユーザから任意のチャプターの選択を受け付け、受け付けたチャプターに対応するチャプター開始ポイントから再生を開始する機能を備えている（たとえば、特開２００１−０１６５３５号公報）。
【０００３】
図６は、このようなＤＶＤビデオ再生装置における典型的なチャプター選択の受付とチャプターの再生の動作の際の表示画面の例を示すものである。
ユーザがチャプターを選択するためには、まず、ＤＶＤビデオ再生装置のＤＶＤ−Ｖｉｄｅｏディスク再生開始直後や、図６ａに示すようなビデオコンテンツ再生中にユーザ操作に応じて表示される、図６ｂのメインメニュー（ＤＶＤ−Ｖｉｄｅｏ規格に言うルートメニュー）において、チャプターメニューを選択する。次に、この選択に応じて、図６ｃに示すようにＤＶＤビデオ再生装置が表示するチャプターメニュー（ＤＶＤ−Ｖｉｄｅｏ規格に言うＰＴＴメニュー）において、再生したいチャプターを選択する。これにより、ＤＶＤビデオ再生装置はチャプターの選択を受け付け、図６ｄに示すように選択を受け付けたチャプター開始ポイントからビデオコンテンツの再生を開始する。
【０００４】
この出願の発明に関連する先行技術文献情報としては以下のものがある。
【０００５】
【特許文献１】
特開２０００−０１６５３５号公報
【発明が解決しようとする課題】
以上のように、従来のＤＶＤビデオ再生装置において、ユーザがチャプターを選択するためには、まず、メインメニューを表示し、メインメニュー上でチャプターメニューを選択し、その上で所望のチャプターを選択するという手順をとる必要があった。
このために、ユーザがビデオタイトル中の所望のシーンをチャプターメニューを利用しながら探索するためには、以上の手順によるチャプターの選択とチャプター内のシーンの探索を繰り返し行う煩雑な作業を行う必要があった。
そこで、本発明は、ビデオコンテンツの再生に際し、ユーザがより容易に、所望のシーンのチャプターメニューを利用した探索を行えるようにすることを課題とする。
【０００６】
【課題を解決するための手段】
前記課題達成のために、本発明は、複数のチャプターを含むビデオコンテンツを表示装置に再生表示するビデオコンテンツ再生装置に、前記複数のチャプターの内からの一つのチャプターの選択をユーザから受け付けるためのチャプターメニューを前記表示装置の表示画面上に設けたメニュー表示領域に表示し、表示した前記チャプターメニューを介してユーザのチャプターの選択を受け付けるチャプター選択受付手段と、前記チャプター選択受付手段が選択を受け付けたチャプターを、前記表示画面上に前記メニュー表示領域と共に設けたチャプター再生表示領域に、前記メニュー表示領域の前記チャプターメニューの表示と並行して再生表示するチャプター再生表示手段とを備えたものである。
【０００７】
ここで、前記ビデオコンテンツは、ＤＶＤ−Ｖｉｄｅｏディスクに記録されたビデオタイトルであって良く、また、この場合には、前記チャプターメニューはＰＴＴメニューであってよい。
このようなビデオコンテンツ再生装置によれば、ユーザは、メニュー表示領域にチャプターメニューを表示させ続けなながら、そのチャプターメニューで順次チャプターを選択することにより、各チャプターをチャプター再生表示領域に再生表示させて、その内容を確認することができる。したがって、チャプターメニューを利用した、所望のシーンの探索が容易化される。
【０００８】
【発明の実施の形態】
以下、本発明の実施形態をＤＶＤビデオ再生装置への適用を例にとり説明する。
図１に、本実施形態に係るＤＶＤビデオ再生装置の構成を示す。
図示するように、ＤＶＤビデオ再生装置は、ＤＶＤ−Ｖｉｄｅｏディスク１のデータにアクセスするＤＶＤドライバ２、ナビゲーションマネージャ３、プレゼンテーションエンジン４、ウインドウ制御部５、表示装置６、スピーカ等の音声出力装置７、リモートコントローラなどの入力装置８とを有する。
【０００９】
ＤＶＤ−Ｖｉｄｅｏディスク１は、ＤＶＤ−ＲＯＭ規格（物理規格）に従ったリードイン領域とリードアウト領域とその間のデータ領域とを有し、データ領域には、ＵＤＦ−Ｂｒｉｄｇｅ規格（ファイル規格）に従ってボリューム及びファイル構造を記述したボリューム及びファイル構造領域が設けられている。また、データ領域には、複数のファイルよりなるファイル群が格納されており、これらファイル群中のデータがＤＶＤ−Ｖｉｄｅｏ規格に従ったアプリケーションデータ、すなわち、ビデオコンテンツのデータとなる。このビデオコンテンツのデータは、大別して音声データや動画データやサブピクチャデータやハイライト情報などのプレゼンテーションの実体を格納したプレゼンテーションデータと、プレゼンテーションの実行を制御するためのナビゲーションデータとよりなる。
【００１０】
そして、プレゼンテーションエンジン４は、ＤＶＤドライバ２を介してＤＶＤ−Ｖｉｄｅｏディスク１から、プレゼンテーションデータを読み込み、プレゼンテーションデータから音声データ、動画データ、サブピクチャデータ、ボタンのハイライト情報などを抽出する。また、抽出した音声データをデコードして音声出力装置７に再生音声として出力する。また、抽出したハイライト情報を必要に応じて用いながら抽出したサブピクチャデータをデコードしてサブピクチャを描画し、抽出した動画データをデコードした動画と合成して再生映像としてウインドウ制御部５に出力する。
【００１１】
一方、ナビゲーションマネージャ３は、ＤＶＤドライバ２を介して読み込んだナビゲーションデータと、入力装置８より受け取ったユーザ操作とに応じて、プレゼンテーションエンジン４における、プレゼンテーションの再生シーケンスを決定し、決定した再生シーケンスにおける、プレゼンテーションエンジン４の再生出力動作を制御する。
【００１２】
そして、ウインドウ制御部５は、ナビゲーションマネージャ３の制御に従って、表示装置６の表示画面上へのウインドウの設定と、設定したウインドウ中へのプレゼンテーションエンジン４から入力する再生映像の表示を行う。
但し、ＤＶＤビデオ再生装置のハードウエアとしては、ＣＰＵや主記憶やＤＶＤドライブや表示装置６や入力装置８や音声出力装置７や外部記憶装置などを備えた一般的なコンピュータのハードウエアを用いることができる。また、この場合には、以上のナビゲーションマネージャ３やプレゼンテーションエンジン４やウインドウ制御部５は、ＣＰＵが、たとえば、外部記憶装置に記憶されたコンピュータプログラムをロードして実行することによりコンピュータ上に具現化するプロセスとして実現するようにして良い。
【００１３】
以下、このようなＤＶＤビデオ再生装置におけるビデオコンテンツの再生動作について説明する。
ナビゲーションマネージャ３は、ユーザの再生指示の投入やＤＶＤ−Ｖｉｄｅｏディスク１の装着が発生すると、図２に示すコンテンツ再生処理を行う。
図示するように、この処理では、ウインドウ制御部５に表示装置６の表示画面上にメインウインドウを開かせると共に、このメインウインドウをアクティブウインドウに設定させ、以降、ＤＶＤ−Ｖｉｄｅｏディスク１のナビゲーションデータの記述とユーザ操作に従ったビデオコンテンツの再生を行う（ステップ２０２）。
【００１４】
ここで、ウインドウ制御部５は、ナビゲーションマネージャ３よっていずれかのウインドウがアクティブウインドウに設定されると、アクティブウインドウに設定されたウインドウに、プレゼンテーションエンジン４から入力する再生映像を、必要な場合には再生映像をウインドウのサイズにリサイズした上で表示する。
【００１５】
また、図３ａに示すように、メインウインドウ３０１は、ウインドウ制御部５によって表示装置６の表示画面の全面に設定されるウインドウである。
この結果、ここでは従来同様に、表示画面の全面に、ビデオコンテンツの再生映像が表示される。
図２に戻り、次に、ナビゲーションマネージャ３は、ナビゲーションデータとユーザ操作に応じた通常の再生シーケンスに従ってチャプターメニューの呼び出しが発生するのを監視する（ステップ２０４）。この呼び出しは、たとえば、従来同様に、ＤＶＤ−Ｖｉｄｅｏディスク再生開始直後や図３ａに示すようにメインウインドウ中へのビデオコンテンツ再生中にユーザ操作に応じて表示される図３ｂのメインメニュー（ＤＶＤ−Ｖｉｄｅｏ規格に言うルートメニュー）において、ユーザがチャプターメニューを選択することによって発生する。
【００１６】
ここで、ＤＶＤ−Ｖｉｄｏ規格では、メニューもビデオコンテンツ本体も全てＰＧＣと呼ばれる再生制御プログラムを単位として、その再生がシーケンシャルに行われる。したがって、ここでは、チャプターメニューのＰＧＣの実行のための呼び出しを検出する。チャプターメニューのＰＧＣの検出は、たとえば、ＤＶＤ−Ｖｉｄｅｏディスク１に登録されたＰＧＣについてのデータの一つであるＭＥＮＵ＿ＩＤにＰＴＴメニューが設定されているか、呼び出されたＰＧＣが、ＰＴＴ再生用のナビゲーションコマンドＪＵＭＰ  ＶＴＳ＿ＰＴＴが定義された複数のボタンのデータを含んでいる場合に、そのＰＧＣがチャプターメニューのＰＧＣであると判定することにより行うことができる。
【００１７】
ここで、図５に、チャプター（ＰＴＴ）メニューの典型的な画面構成を示す。図示するように、チャプターメニューには、各チャプターを選択するためのボタンが設けられ、各ボタンには、そのチャプターに対応するＰＴＴ再生用のナビゲーションコマンドＪＵＭＰ  ＶＴＳ＿ＰＴＴが定義される。そして、このようなチャプターメニューにおいて、ボタンがユーザによって選択されると、そのボタンに定義されたナビゲーションコマンドＪＵＭＰ  ＶＴＳ＿ＰＴＴに従って、ナビゲーショエンジンがＪＵＭＰ  ＶＴＳ＿ＰＴＴで指定されたＰＴＴからの再生を行うようプレゼンテーションエンジン４を制御することにより、そのボタンに対応するチャプター先頭からの再生が開始されることになる。
【００１８】
さて、図２に戻り、チャプターメニューの呼び出しが発生したならば、再生を一旦停止し、呼び出されたチャプターメニューのＰＧＣを記憶する（ステップ２０６）。そして、ウインドウ制御部５に、メインウインドウ３０１を閉じ、メニューウインドウとプレビューウインドウとを表示装置６の表示画面上に開かせる（ステップ２０８）。そして、ウインドウ制御部５に、このメニューウインドウをアクティブウインドウに設定させ（ステップ２１０）、呼び出されたチャプターメニューＰＧＣからの、ナビゲーションデータの記述とユーザ操作に従ったビデオコンテンツの再生を行う（ステップ２１２）。ここで、この再生には、ユーザのボタン選択操作に応じたボタンのハイライト表示なども含まれる。
【００１９】
さて、前述したように、ウインドウ制御部５は、アクティブウインドウに設定されたウインドウに、プレゼンテーションエンジン４から入力する再生映像を、必要な場合には再生映像をウインドウのサイズにリサイズした上で表示する。したがって、ここでは、図３ｃに示すように、メニューウインドウ３０２にチャプターメニューが表示されることになる。また、図３ｃに示すように、メニューウインドウ３０２とプレビューウインドウ３０３は、表示装置６の表示画面上の重ならないように同時に設定されるウインドウである。
【００２０】
図２に戻り、次に、ナビゲーションマネージャ３は、チャプターメニューを終了させるイベントの発生を監視する（ステップ２１４）。チャプターメニューを終了させるイベントとは、たとえば、チャプターメニューのＰＧＣ以外のＰＧＣを呼び出すナビゲーションコマンドの発生である。そして、チャプターメニューを終了させるイベントが発生したならば、再生を一旦停止し、そのイベントが、ユーザからのチャプター選択の受付によるものであるかどうか、すなわち、ナビゲーションコマンドＪＵＭＰ  ＶＴＳ＿ＰＴＴの発生かどうかを調べ（ステップ２１６）、そうでなければ、メニューウインドウ３０２とプレビューウインドウ３０３をウインドウ制御部５に閉じさせた上で（ステップ２３２）、ステップ２０２に戻って、メインウインドウ３０１をアクティブウインドウとする、メインウインドウ３０１中への、発生したナビゲーションコマンドによって呼び出されたＰＧＣからの、ナビゲーションデータの記述とユーザ操作に従った再生動作に復帰する。
【００２１】
一方、ナビゲーションコマンドＪＵＭＰ  ＶＴＳ＿ＰＴＴが発生した場合には（ステップ２１６）、ウインドウ制御部５に、メニューウインドウ３０２の表示を現在の表示、すなわち、チャプターメニューを表示した状態に凍結させると共に（ステップ２１８）、アクティブウインドウをプレビューウインドウ３０３に切替えさせる（ステップ２２０）。そして、タイマを所定時間に設定し（ステップ２２２）、ナビゲーションコマンドＪＵＭＰ  ＶＴＳ＿ＰＴＴで呼び出されたＰＧＣからの、ナビゲーションデータの記述とユーザ操作に従ったビデオコンテンツの再生を行う（ステップ２２４）。
【００２２】
この結果、図３ｄに示すように、メニューウインドウ３０２の表示はチャプターメニューの表示で維持されたまま、プレビューウインドウ３０３に、ユーザが選択したチャプターの再生映像が再生出力される。また、この再生には、ユーザ操作に応じて、適宜早送り再生を行うことも含まれる。なお、図３ｄは、この再生と共に、プレビューウインドウ３０３で表示中のチャプターの現在の再生位置、再生時間の表示をも行うようにした場合についてのものである。
【００２３】
図２に戻り、次に、ナビゲーションマネージャ３は、入力装置８を介したユーザのメニューウインドウ選択操作の発生と（ステップ２２６）、ユーザのプレビュー終了操作の発生と（ステップ２２８）、タイマのタイムアウト（ステップ２３０）とを監視する。そして、ユーザのプレビュー終了操作かタイマのタイムアウトが発生した場合には、メニューウインドウ３０２とプレビューウインドウ３０３をウインドウ制御部５に閉じさせた上で（ステップ２３２）、ステップ２０２に戻って、メインウインドウ３０１をアクティブウインドウとすることにより、メインウインドウ３０１中へのビデオコンテンツの再生動作に復帰する。これにより、図４ａに示すように、プレビューウインドウ３０３中で行われていた再生は、そのままメインウインドウ３０１で継続されることになる。
【００２４】
一方、ユーザのメニューウインドウ選択操作が発生した場合には（ステップ２２６）、再生を一旦停止し、先に記憶しておいたチャプターメニューのＰＧＣの呼び出しを自身で発生し（ステップ２３４）、ステップ２１０に戻る。そして、ウインドウ制御部５に、メニューウインドウ３０２をアクティブウインドウに設定させ（ステップ２１０）、図４ｂに示すように、呼び出されたチャプターメニューのＰＧＣからの、ナビゲーションデータの記述とユーザ操作に従ったビデオコンテンツの再生を行う（ステップ２１２）。そして、以降、先ほどと同様に処理を行い、図４ｃに示すように、チャプターメニュー上で、ユーザのチャプターの選択を上述のように受け付けた場合には、図４ｄに示すように再び、プレビューウインドウ３０３中への受け付けたチャプターの開始位置からの再生を行う（ステップ２２４）。
【００２５】
以上、本発明の実施形態について説明した。
このように本実施形態によれば、ユーザは、チャプターメニューを表示させ続けなながら、そのチャプターメニューで順次チャプターを選択することにより、各チャプターを再生表示させて、その内容を確認することができる。したがって、チャプターメニューを利用した、所望のシーンの探索が容易化される。
【００２６】
なお、以上では、ＤＶＤビデオ再生装置への適用を例にとり説明したが、本実施形態に係るチャプターメニューと、チャプターメニューで選択されたチャプターの再生映像を同時に表示しながら、チャプターメニューでチャプターの選択を受け付けて再生映像を表示するチャプターを切り替える技術は、任意のビデオコンテンツの再生装置において同様に適用可能である。また、以上の実施形態において、チャプタに代えてタイトルを対象として、タイトルメニューと、タイトルメニューで選択されたチャプターの再生映像を同時に表示しながら、タイトルメニューでチャプターの選択を受け付けて再生映像を表示するようにしてもよい。また、以上の実施形態では、メニューウインドウにおけるチャプタメニューの再生とプレビューウインドウにおけるチャプタの再生は一時にはどちらか一方のみを行うようにしたが、それが可能な場合には、このチャプタメニューとチャプタの再生表示を並行して同時に行うようにしてもよい。
【００２７】
【発明の効果】
以上のように、本発明によれば、ビデオコンテンツの再生に際し、ユーザがより容易に、所望のシーンのチャプターメニューを利用した探索を行えるようになる。
【図面の簡単な説明】
【図１】本発明の実施形態に係るＤＶＤビデオ再生装置の構成を示すブロック図である。
【図２】本発明の実施形態に係るコンテンツ再生処理の手順を示すフローチャートである。
【図３】本発明の実施形態に係るＤＶＤビデオ再生装置の表示画面例を示す図である。
【図４】本発明の実施形態に係るＤＶＤビデオ再生装置の表示画面例を示す図である。
【図５】典型的なチャプターメニューを示す図である。
【図６】ＤＶＤビデオ再生装置における従来のチャプター選択時の表示画面例を示す図である。
【符号の説明】
１：ディスク、２：ドライバ、３：ナビゲーションマネージャ、４：プレゼンテーションエンジン、５：ウインドウ制御部、６：表示装置、７：音声出力装置、８：入力装置、３０１：メインウインドウ、３０２：メニューウインドウ、３０３：プレビューウインドウ。
【図１】
2005033308.tif 000003
【図２】
2005033308.tif 000004
【図３】
2005033308.tif 000005
【図４】
2005033308.tif 000006
【図５】
2005033308.tif 000007
【図６】
2005033308.tif 000008